(57)【要約】【課題】  起伏や傾斜がある岩場等にも安定して設置でき、しかも任意の大きさ及び形状のテントを容易に設営できるようにする。【解決手段】  長さ調整可能な複数の脚杆２０を頂部金具１０で放射状に展開自在に連結し、展開した脚杆２０間に長さ調整可能な伸縮連接杆３０と固定長の固定長連接杆４０を脱着自在に連結して組立状態を保持できるテント用伸縮フレームであって、前記伸縮連接杆３０と固定長連接杆４０の両端部に弾性変形可能な略Ｕ字状のフック５０を設け、フック５０の略Ｕ字状の開口幅を脚杆２０の外径より狭幅に形成し、フック５０を脚杆２０に嵌入してその弾性変形で伸縮連接杆３０と固定長連接杆４０を強く把持して連結できるようにした。【選択図】図１
2008127936.tif 000002
【特許請求の範囲】
【請求項１】
長さ調整可能な複数の脚杆を頂部金具で放射状に展開自在に連結し、展開した脚杆間に固定長又は長さ調整可能な連接杆を脱着自在に連結して組立状態を保持できるテント用伸縮フレームであって、前記連接杆の両端部に弾性変形可能な略Ｕ字状のフックを設け、フックの略Ｕ字状の開口幅を脚杆の外径より狭幅に形成し、フックを脚杆に嵌入してその弾性変形で連接杆を把持して連結できるようにしたことを特徴とする、テント用伸縮フレーム。
【請求項２】
頂部金具が、脚杆の上端部を枢支して上下方向にのみ展開できる構成したものである、請求項１記載のテント用伸縮フレーム。
【請求項３】
フックが、バネ鋼を略Ｕ字状に曲折するとともにその基端部をさらに凹状に曲折し、且つ略Ｕ字状の左右の先端部に小巻部をそれぞれ形成し、同バネ鋼の表面に弾性を示す合成樹脂を所定厚さに被覆して構成したものである、請求項１又は２記載のテント用伸縮フレーム。
【請求項４】
フックを連接杆に遊動自在に取り付けた、請求項１〜３いずれか記載のテント用伸縮フレーム。
【発明の詳細な説明】
【技術分野】
【０００１】
本発明は、仮設トイレの設営等に使用されるテント用伸縮フレームに関する。
【背景技術】
【０００２】
従来のテント用フレームが特許文献１に開示されている。この技術は、頂部金具の下面に着脱可能に備えた４本の上部フレームと、両端に垂直部材を備えた４本のコ字状フレームと、上端に連結具を備えた４本の下部フレームとで構成され、連結具に上部フレームとコ字状フレームをそれぞれ挿入して三角形状に組み立てられるようにしている。
【０００３】
ところで、前記技術は各フレームが一定の長さに固定されているから、岩場など起伏や傾斜がある設置面では安定させることが困難であった。また、設営されるテントも一定の大きさ及び形状に限定され、汎用性に劣る問題があった。
【特許文献１】実開平６−１０５６２号公報
【発明の開示】
【発明が解決しようとする課題】
【０００４】
本発明が解決しようとする課題は、従来のこれらの問題点を解消し、起伏や傾斜がある岩場等にも安定して設置でき、しかも任意の大きさ及び形状のテントを容易に設営できるようにすることにある。
【課題を解決するための手段】
【０００５】
かかる課題を解決した本発明の構成は、
１）  長さ調整可能な複数の脚杆を頂部金具で放射状に展開自在に連結し、展開した脚杆間に固定長又は長さ調整可能な連接杆を脱着自在に連結して組立状態を保持できるテント用伸縮フレームであって、前記連接杆の両端部に弾性変形可能な略Ｕ字状のフックを設け、フックの略Ｕ字状の開口幅を脚杆の外径より狭幅に形成し、フックを脚杆に嵌入してその弾性変形で連接杆を把持して連結できるようにしたことを特徴とする、テント用伸縮フレーム
２）  頂部金具が、脚杆の上端部を枢支して上下方向にのみ展開できる構成したものである、前記１）記載のテント用伸縮フレーム
３）  フックが、バネ鋼を略Ｕ字状に曲折するとともにその基端部をさらに凹状に曲折し、且つ略Ｕ字状の左右の先端部に小巻部をそれぞれ形成し、同バネ鋼の表面に弾性を示す合成樹脂を所定厚さに被覆して構成したものである、前記１）又は２）記載のテント用伸縮フレーム
４）  フックを連接杆に遊動自在に取り付けた、前記１）〜３）いずれか記載のテント用伸縮フレーム
にある。
【発明の効果】
【０００６】
本発明によれば、以下の効果を奏する。
１）脚杆と連接杆が長さを調整できるから、任意の大きさ及び形状のフレームを形成でき、解体後はコンパクトで運搬も容易である。
２）設置面の起伏や傾斜に応じて各脚杆の長さを異ならせることで、安定した設置が可能となる。
３）連接杆はフックを脚杆に嵌入して把持させるだけで連結されるから、極めて容易に且つ短時間で組み立てできる。
【発明を実施するための最良の形態】
【０００７】
本発明では、フックを略Ｕ字状にバネ鋼を曲折するとともにその基端部をさらに凹状に曲折し、且つ略Ｕ字状の左右の先端部に小巻部をそれぞれ形成し、同バネ鋼の表面に弾性を示す合成樹脂を所定厚さに被覆して構成すると、合成樹脂の摩擦抵抗で連接杆の把持位置が容易にずれることがなく、小巻部により拡径した部分で強固に把持し、組み立て状態を確実に保持して強風等の影響を受け難くし、且つ脱着時に脚杆を傷つけ難くする。脚杆は頂部金具に枢支して上下方向にのみ展開できるようにすると、組み立て時に不要な動きを抑制して複数の脚杆を所定の方向へ均一に展開でき、組み立てをより容易にする。以下、本発明の実施例を図面に基づいて具体的に説明する。
【実施例１】
【０００８】
図１は実施例のテント用伸縮フレームの説明図、図２は実施例の頂部金具の説明図、図３は実施例の脚杆の説明図、図４は実施例のフックの説明図、図５は実施例の仮設トイレの説明図、図６は実施例のテント用伸縮フレームの解体状態を示す説明図である。
【０００９】
図中、１０は頂部金具、１０ａは凹所、１１はネジ、１２はナット、２０は脚杆、２０ａは太パイプ、２０ｂは細パイプ、２１は拡径連結具、２１ａは拡縮面、２１ｂは圧接部材、２１ｃは滑止め、２２は突起、３０は伸縮連接杆、３０ａは太パイプ、３０ｂは細パイプ、３０ｃはネジ孔、３０ｄはキャップ、３０ｅはネジ孔、３０ｆは栓、３１はネジ、３２はナット、４０は固定長連接杆、５０はフック、５０ａは拡径部、５０ｂはネジ孔、５０ｃはバネ鋼、６０はロープ、６１はアンカー、６２はテントシート、Ｇは設置面、Ｔはトイレである。
【００１０】
本実施例のテント用伸縮フレームは、図１，２に示すように略十字状の頂部金具１０の凹所１０ａに４本の脚杆２０の上端部をネジ１１とナット１２で回動自在に枢支している。脚杆２０は、図３に示すように外径の異なる太パイプ２０ａと細パイプ２０ｂとで構成し、細パイプ２０ｂの挿入端に拡径連結具２１を取り付けている。拡径連結具２１は、外径が一方向に沿って拡径するように形成した拡縮面２１ａに滑止め２１ｃが外周面に形成されたＣ字状の圧接部材２１ｂを回転可能に設けており、太パイプ２０ａ又は細パイプ２０ｂのいずれかを回転させると圧接部材２１ｂの滑止め２１ｃが太パイプ２０ａの内面との摩擦で定位置に保持され、圧接部材２１ｂが拡縮面２１ａで押されて太パイプ２０ａの内面を圧接することで固定され、逆回転させると圧接部材２１ｂが緩んで固定が解除されるようにしている。伸縮連接杆３０も脚杆２０と同じ構造で伸縮できるようにしている（図示せず）。太パイプ２０ａの下端にはズレ防止の突起２２を取り付けている。
【００１１】
フック５０は、図４に示すように外径２．５ｍｍのバネ鋼５０ｃ（ＳＵＳ３０４）を略Ｕ字状に曲折するとともに基端部をさらに凹状に曲折し、且つ略Ｕ字状の左右の先端部に小巻部をそれぞれ形成し、その表面全面にポリウレタン樹脂を２ｍｍ厚に被覆して構成しており、弾性及び摩擦抵抗を有している。先端部には小巻部により拡径部５０ａを形成するとともに基端部の凹状部にはハトメ（図示せず）を固着して大き目のネジ孔５０ｂを形成し、略Ｕ字状の開口幅Ｌ１を脚杆２０の外径Ｌ２よりやや狭幅に形成している。このフック５０のネジ孔５０ｂと塩化ビニル樹脂製のキャップ３０ｄのネジ孔３０ｅと伸縮連接杆３０のネジ孔３０ｃにネジ３１を連通させてナット３２で螺合し、フック５０が上下左右に遊動できるようにしている。キャップ３０ｄの奥部にはゴム製の栓３０ｆを取り付けて伸縮連接杆３０の内部に水が浸入しないようにしている。なお、フック５０以外は全てステンレスで構成している。固定長連接杆４０の両端にも同じ構造でフック５０を取り付けている（図示せず）。
【００１２】
組み立てる場合は、４本の脚杆２０を求める長さに調整し、頂部金具１０から所定角度となるように放射状に展開し、脚杆２０の下端部を設置面Ｇに設置する。設置面Ｇに起伏や傾斜がある場合は４本の脚杆２０の長さを異ならせて全体が水平となるように微調整する。伸縮連接杆３０も脚杆２０と同様に求める長さに調整し、両端のフック５０を対向する脚杆２０に嵌入して把持させる。このとき、フック５０は遊動できるから嵌入作業が容易で、先端部の拡径部５０ａが脚杆２０を強固に把持する。中位置に取り付けられる固定長連接杆４０は長さ調整できるものに代えて使用してもよい。組み立て後は内部にトイレＴを設置してテントシート６２を敷設し、ロープ６０とアンカー６１で緊張して求める仮設トイレを設営する。
【００１３】
このように、本実施例によればフック５０の略Ｕ字状の開口幅が脚杆２０の外径より狭幅で強く把持しているから外れることはなく、しかも摩擦抵抗によってその位置もずれ難く、組み立て状態が強固に保持されて強風等の影響を受け難く、且つ傷つき難いものとなる。また、起伏や傾斜がある設置面Ｇにも安定して設置でき、しかも伸縮連接杆３０や固定長連接杆４０はフック５０を脚杆２０に嵌入して把持させるだけで連結できるから、極めて容易に且つ短時間で組み立てでき、任意の大きさ及び形状のテントを容易に且つ短時間で設営できるようになった。さらに、図６に示すように解体後はコンパクトなものとなり、運搬も容易なものとなった。
【産業上の利用可能性】
【００１４】
本発明のテント用伸縮フレームは、仮設トイレの他、キャンピングテント・レジャーテント用として利用できる。
【図面の簡単な説明】
【００１５】
【図１】実施例のテント用伸縮フレームの説明図である。
【図２】実施例の頂部金具の説明図である。
【図３】実施例の脚杆の説明図である。
【図４】実施例のフックの説明図である。
【図５】実施例の仮設トイレの説明図である。
【図６】実施例のテント用伸縮フレームの解体状態を示す説明図である。
【符号の説明】
【００１６】
１０  頂部金具
１０ａ  凹所
１１  ネジ
１２  ナット
２０  脚杆
２０ａ  太パイプ
２０ｂ  細パイプ
２１  拡径連結具
２１ａ  拡縮面
２１ｂ  圧接部材
２１ｃ  滑止め
２２  突起
３０  伸縮連接杆
３０ａ  太パイプ
３０ｂ  細パイプ
３０ｃ  ネジ孔
３０ｄ  キャップ
３０ｅ  ネジ孔
３０ｆ  栓
３１  ネジ
３２  ナット
４０  固定長連接杆
５０  フック
５０ａ  拡径部
５０ｂ  ネジ孔
５０ｃ  バネ鋼
６０  ロープ
６１  アンカー
６２  テントシート
Ｇ  設置面
Ｔ  トイレ
【図１】
2008127936.tif 000003
【図２】
2008127936.tif 000004
【図３】
2008127936.tif 000005
【図４】
2008127936.tif 000006
【図５】
2008127936.tif 000007
【図６】
2008127936.tif 000008